(57)【特許請求の範囲】
【請求項１】
底壁部と該底壁部にディスクカートリッジ収納空間を画成すべく立設された周壁部とを備えた収納ケース本体と、前記ディスクカートリッジ収納空間を覆う上壁部と該上壁部の両側端に立設された蓋側壁部と該蓋側壁部における回動中心とは反対側の前記蓋側壁部の下端部に設けられた把持部とを備えて前記収納ケース本体に回動自在に支持された蓋体と、該蓋体の開蓋角度を規制する回動規制手段とを有し、前記把持部が、前記蓋体を開いたときに、前記ディスクカートリッジを前記上壁部とほぼ平行な状態となるように持ち上げることを特徴とするディスクカートリッジ収納ケース。
【発明の詳細な説明】
【０００１】
【発明の属する技術分野】
本発明は、ディスク状の情報記録媒体を内蔵したディスクカートリッジの収納ケースに係り、特に光ディスクカートリッジや磁気ディスクカートリッジを収納するディスクカートリッジ収納ケースに関する。
【０００２】
【従来の技術】
ディスクカートリッジは、磁気ディスクや、光ディスク及び光磁気ディスク等の情報記録媒体をカートリッジ内に内蔵したものであり、近年、記録情報の高密度化に伴い小径化が可能になったこれらディスクカートリッジとして、ＭＤと呼ばれる直径２．５インチのミニディスクを内蔵したミニディスクカートリッジ（以下、ＭＤカートリッジと呼ぶ）が実用に供されている。
ところで、前記ＭＤカートリッジは、カートリッジ全体を外部の衝撃から保護したり、カートリッジ内に塵埃が侵入するのを防止して保管・携帯を容易且つ確実にする為に、図４に示すようなＭＤ用収納ケース５１を用いるのが一般的である。
【０００３】
図４に示すように、ＭＤカートリッジ５０を収納するＭＤ用収納ケース５１は、薄型の平行６面体に形成されたカートリッジ収納空間５３を形成された筐体であり、一面にはＭＤカートリッジ５０を挿入するための挿入口５２が開口されている。また、前記カートリッジ収納空間５３を形成する両側壁には、アーチ状のばね部材５４，５４が配設されている。更に、少なくとも上壁は、透明な樹脂により形成されている。
【０００４】
前記ばね部材５４，５４は、前記収納空間５３側に突出しており、ＭＤカートリッジ５０を挿入口５２から収納空間５３内に差し込んだ際には、該ＭＤカートリッジ５０の両側壁の凹部５０ａ，５０ａに弾性的に係合する。これにより、ＭＤカートリッジ５０はＭＤ用収納ケース５１内から不用意に抜け出さないように保持される。
そして、前記ＭＤ用収納ケース５１の場合、ディスクの記録内容等を記載する為のインデックスシート５５が貼付シールとしてＭＤ用収納ケース５１の表面に貼り付けられる。
【０００５】
一方、ディスクカートリッジである３．５インチのフロッピィディスク６４の収納ケースとしては、図５に示すような開閉式のＦＤ用収納ケース６０がある。同図に示すように、このＦＤ用収納ケース６０は、収納ケース本体６１と開閉可能な蓋体６２とからなる。蓋体６２は回動支軸６３を中心にして回動自在に収納ケース本体６１に軸支されている。また、蓋体６２は、回動支軸６３側にフロッピィディスク６４の端部を収納する収納ポケット６２ａを備えており、この収納ポケット６２ａにフロッピィディスク６４を差し込んで蓋体６２を閉じることにより、フロッピィディスク６４をＦＤ用収納ケース６０内に収納する。
【０００６】
【発明が解決しようとする課題】
しかしながら、上記ＭＤ用収納ケース５１の場合、インデックスシート５５をＭＤ用収納ケース５１の表面に貼り付けて用いるので、インデックスシート５５が汚れやすいという問題がある。また、挿入口５２が開いたままなので防塵効果の点でも問題がある。
【０００７】
一方、上記ＦＤ用収納ケース６０の場合は、収納ケース本体６１と蓋体６２を開閉式としたので、インデックスシートをＦＤ用収納ケース６０内に配置することができ、かつ防塵効果を得ることができる。しかしながら、フロッピィディスク６４は、蓋体６２の回動支軸６３側に設けられた収納ポケット６２ａによって取り出し側の反対側が収納保持されている。
【０００８】
そこで、図５に示すように、蓋体６２を大きく開けないと、収納ポケット６２ａのガタが取出し側で拡大されたフロッピィディスク６４は取り出すことができない。又、蓋体６２を開けた際には、蓋体６２が収納ケース本体６１に対して１８０度以上回動してしまうので、フロッピィディスク６４が落下し易く、使い勝手がよくないという問題がある。
従って、本発明の目的は上記課題を解消することに係り、収納ケース内にインデックスを配置することができ、防塵効果に優れ、使い勝手のよいディスクカートリッジ収納ケースを提供することである。
【０００９】
【課題を解決するための手段】
本発明の上記目的は、とを備えた収納ケース本体と、前記ディスクカートリッジ収納空間を覆う上壁部と該上壁部の両側端に立設された蓋側壁部と該蓋側壁部における回動中心とは反対側の前記蓋側壁部の下端部に設けられた把持部とを備えて前記収納ケース本体に回動自在に支持された蓋体と、該蓋体の開蓋角度を規制する回動規制手段とを有し、前記把持部が、前記蓋体を開いたときに、前記ディスクカートリッジを前記上壁部とほぼ平行な状態となるように持ち上げることを特徴とするディスクカートリッジ収納ケースにより達成することができる。
【００１０】
上記構成によれば、蓋体の開蓋角度が規制されるので、不用意な蓋体の回動によるディスクカートリッジの落下を防止できる。又、蓋体の回動端側に設けられた把持部がディスクカートリッジの取出し側を把持し、該ディスクカートリッジを上壁部とほぼ平行な状態で持ち上げることができるので、蓋体の開蓋角度を最小限に抑えることができる。
【００１１】
【発明の実施の形態】
以下、添付図面に基づいて本発明のディスクカートリッジ収納ケースの一実施例を詳細に説明する。
図１は本発明に係るＭＤ用収納ケースの全体斜視図、図２は図１に示したＭＤ用収納ケースの要部分解斜視図である。
図１に示すように、ＭＤ用収納ケース１は、平面形状が略四角形のＭＤカートリッジ２（図３参照）を収納するもので、収納ケース本体３と、該収納ケース本体３に回動自在に支持された蓋体１０と、該蓋体１０の開蓋角度を規制する回動規制手段１８（図２参照）とを有する。
【００１２】
前記収納ケース本体３は、底壁部４の両側端に立設されたケース側壁部５，５と、底壁部４の前端に立設されたケース前壁部６と、底壁部４の後端に立設されたケース後壁部７とによって、上方が開放したカートリッジ収納空間８を画成する周壁部を構成されている。前記カートリッジ収納空間８は、ＭＤカートリッジ２を挿入可能な大きさに画成されている。ケース側壁部５，５は、後端部に薄肉部５ａ，５ａが形成され、底壁部４前端の両側部に切欠部４ａ，４ａが形成されている。また、図２に示すように、前記薄肉部５ａ，５ａには回動支軸９が突設されている。
【００１３】
前記蓋体１０は、収納ケース本体３の上部を覆う上壁部１１と、該上壁部１１後端の両側端に立設されてケース側壁部５，５の薄肉部５ａ，５ａの外側に重なり合う後端側の蓋側壁部１２，１２と、上壁部１１前端の両側端に立設されてケース側壁部５，５とケース前壁部６の間に嵌入する前端側の蓋側壁部１３，１３と、該蓋側壁部１３，１３の下端部に形成されてカートリッジ収納空間８側に突出した把持部１４，１４とを有する。そして、把持部１４，１４、ケース側壁部５，５及び上壁部１１は、ＭＤカートリッジ２の挿入口１６を形成している。
また、図２に示すように、後端側の蓋側壁部１２，１２の内側には、回動支軸９を嵌入する係合穴１５が形成されている。これにより、回動支軸９を回動中心にして蓋体１０は回動自在に収納ケース本体３に取り付けられる。
【００１４】
図２に示したように、回動規制手段１８は規制溝１９と係合突起２０とから成る。ケース側壁部５，５に形成された規制溝１９，１９は、回動支軸９を中心として円弧状に延びる長穴である。該規制溝１９，１９に嵌入される係合突起２０，２０は、後端側の蓋側壁部１２，１２の内側に突出して形成されている。そこで、係合突起２０，２０が規制溝１９，１９により移動を規制される蓋体１０は、収納ケース本体３に対する開蓋角度が規制される。
【００１５】
上述の如く構成された本発明のＭＤ用収納ケース１の作用を説明する。
先ず、図３に示すように、蓋体１０を開けた状態でＭＤ用収納ケース１内にインデックスシート２１を配置する。この際、インデックスシート２１を挿入口１６から収納ケース本体３のカートリッジ収納空間８内に挿入し、インデックスシート２１の折曲部２２を収納ケース本体３のケース後壁部７に当接させるとともにインデックスシート２１の前端部２１ａを底壁部４の切欠部４ａ，４ａの後方に配置する。そこで、インデックスシート２１はＭＤ用収納ケース１内に配置され、汚れが防止される。
【００１６】
次に、ＭＤ用収納ケース１内にＭＤカートリッジ２を収納する場合は、蓋体１０を開けて挿入口１６からＭＤカートリッジ２を差し込むことにより、ＭＤカートリッジ２の挿入先端部をインデックスシート２１の折曲部２２に当接させるとともに挿入後端部を把持部１４，１４上に載せた後、蓋体１０を閉じる。
そこで、ＭＤ用収納ケース１内にＭＤカートリッジ２を密封状態に収納することができ、ＭＤカートリッジ２を防塵から保護することができる。
【００１７】
更に、ＭＤ用収納ケース１内からＭＤカートリッジ２を取り出す際には、蓋体１０を引き上げて挿入口１６をケース前壁部６の上方まで移動させる。すると、挿入後端部（取り出し側端部）が把持部１４，１４に把持されているＭＤカートリッジ２は、上壁部１１とほぼ平行な状態で持ち上げられる。そこで、蓋体１０の最小限の開蓋角度でＭＤカートリッジ２を取り出すことができる。
【００１８】
この際、蓋体１０の回動角度は回動規制手段１８で規制されているので、収納ケース本体３に対して蓋体１０は挿入口１６がケース前壁部６の上方まで移動した位置で停止する。したがって、不用意な蓋体１０の回動によるＭＤカートリッジ２の落下を防止でき、使い勝手の良いディスクカートリッジ収納ケースを提供できる。
又、規制溝１９，１９の長さをケース側壁部５，５の高さよりも長くすることはできないが、前記蓋体１０の開蓋角度が最小限に抑えられているので、ケース厚みが薄い為に高さの低い上記ＭＤ用収納ケース１のケース側壁部５，５にも上述の如き規制溝１９，１９を形成することができる。
【００１９】
尚、本発明によるディスクカートリッジ収納ケースは、上記実施例におけるＭＤ用収納ケースに限定されるものではなく、３．５インチのフロッピィディスクや光ディスク等の他のディスクカートリッジ用の収納ケースに応用できることは勿論である。又、蓋体及び収納ケース本体の形状や、把持部及び回動規制手段の構成は、上記実施例の蓋体１０や収納ケース本体３の構成に限定されるものではなく、種々の形態を採りうることは言うまでもない。
【００２０】
【発明の効果】
以上述べたように、本発明のディスクカートリッジ収納ケースによれば、蓋体を開けることによりインデックスシートを前記収納ケース内に配置することができるので、インデックスシートを汚れないように保管することができる。
また、ディスクカートリッジを前記収納ケースに収納した後、蓋体を閉じることによりカートリッジ収納空間を密閉状態に維持することができるので、ディスクカートリッジを粉塵から保護することができる。
更に、蓋体の開蓋角度が規制されるので、不用意な蓋体の回動によるディスクカートリッジの落下を防止できる。又、蓋体の回動端側に設けられた把持部がディスクカートリッジの取出し側を把持し、該ディスクカートリッジを上壁部とほぼ平行な状態で持ち上げることができるので、蓋体の開蓋角度を最小限に抑えることができる。
従って、収納ケース内にインデックスを配置することができ、防塵効果に優れ、使い勝手のよいディスクカートリッジ収納ケースを提供できる。
【図面の簡単な説明】
【図１】本発明に係るＭＤ用収納ケースの全体斜視図である。
【図２】図１に示したＭＤ用収納ケースの要部分解斜視図である。
【図３】図１に示したＭＤ用収納ケースの作用説明図である。
【図４】従来のＭＤ用収納ケースの全体斜視図である。
【図５】従来のＦＤ用収納ケースの全体斜視図である。
【符号の説明】
１  ＭＤ用収納ケース
２  ＭＤカートリッジ
３  収納ケース本体
４  ケース低壁部
５  ケース側壁部
６  ケース前壁部
７  ケース後壁部
８  カートリッジ収納空間
１０  蓋体
１１  上壁部
１２  蓋側壁部
１３  蓋側壁部
１６  挿入口
１８  回動規制手段
【図１】
0003599211.tif 000002
【図２】
0003599211.tif 000003
【図３】
0003599211.tif 000004
【図４】
0003599211.tif 000005
【図５】
0003599211.tif 000006